【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
媒体を一時的に載置するスタッカーと、
前記スタッカーに載置された状態の前記媒体に対して、後処理を実行する後処理部と、
前記スタッカーから排紙される前記媒体を積載する排紙トレイと、
前記スタッカーに載置された状態の前記媒体に対して、前記媒体の変形を抑制する抑制部と、を備えたことを特徴とする後処理装置。
【請求項２】
請求項１に記載の後処理装置において、
前記スタッカーよりも前記媒体の搬送経路の上流側でジャムが発生した場合に、前記抑制部で前記媒体の変形を抑制することを特徴とする後処理装置。
【請求項３】
請求項１または請求項２に記載の後処理装置において、
前記抑制部は、
第１ローラーと、
第２ローラーと、を備え、
前記第１ローラーと前記第２ローラーとで前記媒体を挟み込む方向における間隔は、第１間隔と、前記第１間隔よりも前記間隔が狭くなる第２間隔と、に可変可能であり、
前記スタッカーよりも前記媒体の搬送経路の上流側でジャムが発生した場合に、
前記スタッカーに載置された状態の前記媒体を介して、前記第１ローラーと前記第２ローラーとの前記間隔を、前記第２間隔に可変することを特徴とする後処理装置。
【請求項４】
請求項１から請求項３のいずれか一項に記載の後処理装置において、
前記第１ローラーおよび前記第２ローラーは、前記スタッカーから前記排紙トレイへ前記媒体を排出するように構成されることを特徴とする後処理装置。
【請求項５】
請求項４に記載の後処理装置において、
前記第１間隔では、第１ローラーと第２ローラーとのうち、いずれか一方のローラーが前記媒体に対して非接触であり、
前記第２間隔では、第１ローラーと第２ローラーとが前記媒体に接触して前記媒体の変形を抑制することを特徴とする後処理装置。
【請求項６】
請求項５に記載の後処理装置において、
前記抑制部は、
前記媒体の面に接触可能な接触部を備え、
前記接触部は、前記第１ローラーの軸周りに回動して前記媒体に接触して当該媒体の変形を抑制することを特徴とする後処理装置。
【請求項７】
請求項５に記載の後処理装置において、
前記スタッカーに載置された状態の前記媒体と前記接触部との間隔は、第１間隔と、前記第１間隔よりも前記間隔が狭くなる第２間隔と、に可変可能であり、
前記スタッカーよりも前記媒体の搬送経路の上流側でジャムが発生した場合に、
前記スタッカーに載置された状態の前記媒体と前記接触部との前記間隔を、前記第２間隔に可変することを特徴とする後処理装置。
【請求項８】
請求項７に記載の後処理装置において、
前記第１間隔では、前記接触部は前記媒体に対して非接触であり、
前記第２間隔では、前記接触部は前記媒体に対して接触して前記媒体の変形を抑制することを特徴とする後処理装置。
【請求項９】
請求項１に記載の後処理装置において、
前記抑制部は、送風機であり、
前記スタッカーよりも前記媒体の搬送経路の上流側でジャムが発生した場合に、
前記スタッカーに載置された状態の前記媒体に対して送風することを特徴とする後処理装置。
【請求項１０】
請求項２から請求項９のいずれか一項に記載の後処理装置において、
前記抑制部は、前記スタッカーに載置された状態の前記媒体に対して加湿可能な加湿部を含み、
前記スタッカーよりも前記媒体の前記搬送経路の上流側で前記ジャムが発生した場合に、
前記スタッカーに載置された状態の前記媒体に対して加湿することを特徴とする後処理装置。
【請求項１１】
請求項２から請求項１０のいずれか一項に記載の後処理装置において、
前記スタッカーよりも前記媒体の前記搬送経路の上流側で前記ジャムが発生した場合に、
前記ジャムが発生した箇所よりも前記搬送経路の下流側にある前記媒体を前記スタッカーに搬送した後で、前記抑制部を駆動させることを特徴とする後処理装置。
【請求項１２】
請求項２から請求項１１のいずれか一項に記載の後処理装置において、
前記ジャムが解消した場合に、
前記抑制部よりも上流の前記搬送経路かつ前記抑制部に最も近い位置に配置された検出部の検出結果に基づいて、前記抑制部の駆動を解除させることを特徴とする後処理装置。
【請求項１３】
媒体に対して画像を形成する画像形成装置と、
前記画像が形成された前記媒体を一時的に載置するスタッカーと、前記スタッカーに載置された状態の前記媒体に対して、後処理を実行する後処理部と、前記スタッカーに載置された状態の前記媒体に対して、前記媒体の変形を抑制する抑制部と、を有する後処理装置と、を備えたことを特徴とする印刷システム。
【請求項１４】
媒体に対して画像を形成する画像形成装置と、
前記画像が形成された前記媒体を一時的に載置するスタッカーと、前記スタッカーに載置された状態の前記媒体に対して、後処理を実行する後処理部と、前記スタッカーに載置された状態の前記媒体に対して、前記媒体の変形を抑制する抑制部と、を有する後処理装置と、
前記画像形成装置で前記画像が形成された前記媒体を、前記後処理装置に搬送する中間搬送装置と、を備えたことを特徴とする印刷システム。
【手続補正２】
【補正対象書類名】明細書
【補正対象項目名】発明の名称
【補正方法】変更
【補正の内容】
【発明の名称】後処理装置、印刷システム
【手続補正３】
【補正対象書類名】明細書
【補正対象項目名】０００１
【補正方法】変更
【補正の内容】
【０００１】
本発明は、後処理装置及び印刷システムに関する。
【手続補正４】
【補正対象書類名】明細書
【補正対象項目名】００３７
【補正方法】変更
【補正の内容】
【００３７】
本実施形態の印刷装置１では、画像形成装置１００の上流側搬送経路としての第３排出経路１５３が中間搬送装置２００の中間搬送経路２１８に接続され、当該中間搬送経路２１８が後処理装置３００の下流側搬送経路３１９に接続されている。そして、第３排出経路１５３と、中間搬送経路２１８と、下流側搬送経路３１９と、により、用紙Ｍの搬送方向の上流側となる画像形成装置１００から中間搬送装置２００を経由して後処理装置３００まで続く搬送経路（図１中の二点鎖線）を構成している。
【手続補正５】
【補正対象書類名】明細書
【補正対象項目名】００９０
【補正方法】変更
【補正の内容】
【００９０】
不飽和単量体として、さらに具体的には、メチルアクリレート、エチルアクリレート、イソプロピルアクリレート、ｎ−ブチルアクリレート、イソブチルアクリレート、ｎ−アミルアクリレート、イソアミルアクリレート、ｎ−へキシルアクリレート、２−エチルへキシルアクリレート、オクチルアクリレート、デシルアクリレート、ドデシルアクリレート、オクタデシルアクリレート、シクロへキシルアクリレート、フェニルアクリレート、ベンジルアクリレート、グリシジルアクリレート等のアクリル酸エステル；メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル；酢酸ビニル等のビニルエステル；アクリロニトリル、メタクリロニトリル等のビニルシアン化合物；塩化ビニリデン、塩化ビニル等のハロゲン化単量体；スチレン、α−メチルスチレン、ビニルトルエン、４−ｔ−ブチルスチレン、クロルスチレン、ビニルアニソール、ビニルナフタレン等の芳香族ビニル単量体；エチレン、プロピレン等のオレフィン；ブタジエン、クロロプレン等のジエン；ビニルエーテル、ビニルケトン、ビニルピロリドン等のビニル単量体；アクリル酸、メタクリル酸、イタコン酸、フマール酸、マレイン酸等の不飽和カルボン酸；アクリルアミド、メタクリルアミド、Ｎ，Ｎ'−ジメチルアクリルアミド等のアクリルアミド類；２−ヒドロキシエチルアクリレート、２−ヒドロキシプロピルアクリレート、２−ヒドロキシエチルメタクリレート、２−ヒドロキシプロピルメタクリレート等の水酸基含有単量体が挙げられる。これらは１種を単独又は２種以上を混合して用いられる。
【手続補正６】
【補正対象書類名】明細書
【補正対象項目名】０１３９
【補正方法】変更
【補正の内容】
【０１３９】
なお、本実施形態では、図１２に示すように、排紙ローラー対３２９とガイド部３３０とを抑制部４５０として構成する。具体的には、スタッカー３２８に載置された状態の用紙Ｍに対して、用紙Ｍの変形を抑制する場合は、スタッカー３２８に載置された状態の用紙Ｍを介して、第１排紙ローラー３２９ａと第２排紙ローラー３２９ｂとの間隔Ｇを、第２間隔Ｇ２に設定する。すなわち、第１排紙ローラー３２９ａを第１ポジションＰｓ１から第２ポジションＰｓ２に移動する。さらに、スタッカー３２８に載置された状態の用紙Ｍとガイド面３３０ａとの間隔Ｋを、第２間隔Ｋ２に設定する。すなわち、ガイド部３３０を第１ポジションＰｋ１から第２ポジションＰｋ２に移動する。これにより、スタッカー３２８に載置された状態の用紙Ｍは、排紙ローラー対３２９とガイド部３３０とにより用紙Ｍの変形（カール）が規制され、さらに用紙Ｍの変形（カール）の発生を抑制することができる。
【手続補正７】
【補正対象書類名】明細書
【補正対象項目名】０１４３
【補正方法】変更
【補正の内容】
【０１４３】
次に、印刷装置の制御方法について説明する。詳細には、抑制部の制御方法について説明する。図１４は、印刷装置の制御方法を示すフローチャートである。図１４に示すように、抑制部４５０の制御方法は、ステップＳ１００の抑制実行処理とステップＳ２００の抑制解除処理とにより実行される。そして、ステップＳ１００の抑制実行処理では、スタッカー３２８よりも用紙Ｍの搬送経路（第３排出経路１５３、中間搬送経路２１８、下流側搬送経路３１９）の上流側でジャムが発生した場合に、抑制部４５０で用紙Ｍの変形（カール）を抑制する。具体的には、ジャムが発生した場合に、ジャムが発生した箇所よりも搬送経路の下流側にある用紙Ｍをスタッカー３２８に搬送した後で、抑制部４５０を駆動（実行）させる。また、ステップＳ２００の抑制解除処理では、ジャムが解消した場合に、ジャムが解消した後に、スタッカー３２８に対して最初に搬送される用紙Ｍがスタッカー３２８に載置可能であるとともに、抑制部４５０に対しての搬送経路の上流の最も近い位置に配置された検出部の検出結果に基づいて、抑制部４５０の駆動を解除させる。換言すれば、ステップＳ２００の抑制解除処理では、ジャムが解消した場合に、抑制部４５０よりも上流の搬送経路かつ抑制部４５０に最も近い位置に配置された検出部の検出結果に基づいて、抑制部４５０の駆動を解除させる。以下、具体的に説明する。
【手続補正８】
【補正対象書類名】明細書
【補正対象項目名】０１４４
【補正方法】変更
【補正の内容】
【０１４４】
まず、抑制実行処理方法について説明する。図１５は、抑制部の実行処理方法を示すフローチャートである。図１５に示すように、ステップＳ１０１では、用紙Ｍを搬送させる。具体的には、画像形成装置１００、中間搬送装置２００及び後処理装置３００の各搬送ローラー対類（搬送ローラー対１３１、第１から第３搬送ローラー対２５４，２５６，２５７、第１及び第２反転ローラー対２６５，２６８、排紙ローラー対３２９、搬送ローラー対３２７）を駆動させる。また、画像形成装置１００の記録部１１０を駆動させ、搬送された用紙Ｍに画像を形成する。これにより、画像が形成された用紙Ｍは、第３排出経路１５３、中間搬送経路２１８、下流側搬送経路３１９へと搬送されていく。
【手続補正９】
【補正対象書類名】明細書
【補正対象項目名】０１４５
【補正方法】変更
【補正の内容】
【０１４５】
次いで、ステップＳ１０２では、ジャムが発生したが否かを判断する。具体的には、制御部１０において、スタッカー３２８よりも搬送経路が上流側となる第３排出経路１５３、中間搬送経路２１８、下流側搬送経路３１９上でのジャムの有無を判断する。ジャムは、搬送経路に配置された各検出部（搬送検出部１９９、導入検出部２５８、第１から第５検出部２８１，２８２，２８３，２８４，２８５、第１及び第２反転検出部２６４，２６７、搬送検出部３５６）から送信される検出データに基づいて判断する。そして、ジャムが発生したと判断された場合（ＹＥＳ）は、ステップＳ１０３に移行し、ジャムが発生していない判断された場合（ＮＯ）は、終了（リターン）する。
【手続補正１０】
【補正対象書類名】明細書
【補正対象項目名】０１４８
【補正方法】変更
【補正の内容】
【０１４８】
例えば、搬送検出部１９９でエラーが検出され、第３排出経路１５３でジャムが発生した場合において、中間搬送経路２１８または下流側搬送経路３１９に用紙Ｍが有る場合、対応する搬送ローラー対（第１から第３搬送ローラー対２５４，２５６，２５７、第１及び第２反転ローラー対２６５，２６８、搬送ローラー対３２７）を駆動させ、中間搬送経路２１８または下流側搬送経路３１９に有る用紙Ｍをスタッカー３２８に搬送させる。
【手続補正１１】
【補正対象書類名】明細書
【補正対象項目名】０１５４
【補正方法】変更
【補正の内容】
【０１５４】
これにより、スタッカー３２８に載置された用紙Ｍは、放置時間の経過とともにカールが発生してしまうところ、排紙ローラー対３２９とガイド部３３０とにより用紙Ｍの変形（カール）が規制されるので、用紙Ｍの変形（カール）の発生を抑制することができる。
また、ジャムが発生した後、ジャムが発生した箇所よりも下流側にある用紙Ｍはスタッカー３２８に搬送（回収）され、その後に、抑制部４５０を駆動させるため、用紙Ｍの無駄を省くことができる。
【手続補正１２】
【補正対象書類名】明細書
【補正対象項目名】０１５７
【補正方法】変更
【補正の内容】
【０１５７】
次いで、ステップＳ２０２では、ジャムが解消した後に最初に搬送される用紙Ｍがスタッカー３２８に載置可能であるとともに、抑制部４５０に対しての搬送経路の上流の最も近い位置に配置された検出部（本実施形態では、抑制部４５０に対して搬送経路としての第２導出経路２５０ｂ上の上流の最も近い位置に配置された第５検出部２８５ａ）が、上記最初の用紙Ｍを検出したか否かについて判断する。
具体的には、例えば、第３排出経路１５３、中間搬送経路２１８、下流側搬送経路３１９から全ての用紙Ｍが取り除かれた状態で印刷装置１を再稼働する場合、どのタイミングで抑制部４５０の駆動を解除するかが問題となる。すなわち、例えば、中間搬送経路２１８の上流側における導入検出部２５８で最初に搬送される用紙Ｍが検出された場合に抑制部４５０を解除してしまうと、最初の用紙Ｍがスタッカー３２８に搬送されるまでに時間がかかるため、スタッカー３２８に載置された用紙Ｍの変形（カール）が進行してしまう。一方、単に、スタッカー３２８に対して搬送経路の上流の最も近い位置に配置された検出部で最初の用紙Ｍの搬送を検出させた場合には、抑制部４５０が解除動作の途中で用紙Ｍがスタッカー３２８に搬送されてしまい、用紙Ｍの搬送不良を起こしてしまうおそれがある。